(57)【要約】      （修正有）【課題】２種類の角度で携帯型電子機器端末を支持する事ができ、構造が簡単で不使用時や運搬時にはコンパクトに携帯出来る携帯型電子機器端末スタンドを提供する。【解決手段】スタンドを構成する部品を平板状部材２枚として、中央部に切れ込みをもうけ、Ｘ字に交差させ組み合わせること、又は並列する板２枚を中央部で可動させＸ字又はＹ字に開くことにより携帯型電子機器端末を異なった２種類の角度に立て掛けて支持する。【選択図】図１
0003184201.tif 000002
【実用新案登録請求の範囲】
【請求項１】
平板状部材２枚、又はフレーム２枚をＸ字又はＹ字に組み合わせることで構造体を形成し、その構造体が形成する異なった２種類の角度で携帯型電子機器端末を支持する事ができることを特徴とする携帯型電子機器端末スタンド。
【考案の詳細な説明】
【技術分野】
【０００１】
本考案は、携帯電話、携帯情報端末、携帯パソコン、携帯音楽・映像プレーヤ等の各種携帯型電子機器端末を立て掛けて支持し、ステッカーを貼着して装飾可能なスタンドに関するものである。
【背景技術】
【０００２】
従来より、携帯型電子機器端末のスタンドとして、組み立て式にして、スタンドも容易に携帯することができるようにしたもの、若しくは折り畳み式にして容易に携帯する事ができるようにしたものが種々提案されている。
【考案の概要】
【考案が解決しようとする課題】
【０００３】
従来の携帯型電子機器端末のスタンドは、インターネットやメール、動画等、画面を視聴する場合に適する約６０度前後のスタンドが主であった。しかし、文書の入力時やタッチパネルの操作時は、携帯型電子機器端末を約２０度前後の角度に寝かせて支持したほうが操作に適している。その為にスタンドの角度を可動式にすると、スタンドを構成する部品を多数使用する必要があり、携帯に不向きな重いスタンドになってしまうという欠点があった。
【０００４】
携帯型電子機器端末のスタンドを携帯する場合において、この欠点は大きな障害である。具体的には、角度が一定のスタンドは軽いが大きく携帯に不向きであり、角度が可動式の折り畳み式スタンドは持ち運びには便利だが、重くやはり携帯には不向きなどの問題があった。
【０００５】
そのうえ、従来の携帯型電子機器端末のスタンドは、いわゆる文房具類であり、装飾する面積が少なく、デザイン性に乏しく十分な装飾効果を得られないという問題が生じていた。
【課題を解決するための手段】
【０００６】
携帯型電子機器端末のスタンドを構成する部品を平板状部材２枚として、平板状部材を図1のようにＸ字に交差させ組み合わせること、又は並列する平板状部材２枚を図４のようにＹ字又は、図５のようにＸ字に開くことにより携帯型電子機器端末を支持する。
【０００７】
平板状部材２枚で構成された構造体は、図１のように携帯型電子機器端末を視聴する場合に適する角度及び、図２のようにタッチパネルの操作時に適する角度の２種類の角度で支持することができる。
【０００８】
平板状部材の面にステッカーを貼着し装飾することによりデザイン性に優れる。
【０００９】
平板状部材２枚で構成されるため薄く、軽く携帯性に優れる。
【考案の効果】
【００１０】
第一実施形態によれば、スタンドを構成する部品を平板状部材２枚とし、板２枚をＸ字に交差させ組み合わせることにより携帯型電子機器端末を支持する。そのためスタンドは薄く、軽く携帯性に優れる。
【００１１】
第二実施形態によれば、スタンドの構成する部品を平板状部材２枚とし、並列する板２枚をＸ字又はＹ字に開くことにより携帯型電子機器端末を支持する。そのためスタンドは薄く、軽く携帯性に優れる。
【００１２】
上記の第一考案及び第二考案はいずれも同じ構造体を形成し、図１のように携帯型電子機器端末を視聴する場合に適する角度及び、図２のようにタッチパネルの操作時に適する角度の２種類の角度で支持することができる。
【００１３】
また、平板状部材の側面にステッカーを貼着し装飾することによりデザイン性に優れるという利点がある。
【図面の簡単な説明】
【００１４】
【図１】図１は第一実施形態で携帯型電子機器端末を視聴時に適した角度で支えた立体構造図である。
【図２】図２は第一実施形態で携帯型電子機器端末を操作時に適した角度で支えた立体構造図である。
【図３】図３は第一実施形態の平面図である。
【図４】図４は第二実施形態でＹ字に開いて使用する場合の立体構造図である。
【図５】図５は第二実施形態でＸ字に開いて使用する場合の立体構造図である。
【図６】図６は第二実施形態の平面図である。
【図７】図７は平板状部材の詳細示す
【考案を実施するための形態】
【００１５】
以下、本明細書と図面に開示された本考案の実施携帯は、本考案の技術内容をより分かりやすく説明し、本考案の理解を助けるために実施例を挙げたことに過ぎず、本考案の範囲を限定する者ではない。ここに開示された実施形態以外にも、本考案の技術的思想に基づく他の変形例も実施可能であることは、本考案の属する技術分野において自明なことである。
【実施例１】
【００１６】
図１は第一実施形態で視聴に適した角度で携帯型電子機器端末を支持した立体構造図を示すものである。平板状部材に図７で示す携帯型電子機器端末を支える支持部2aを施し、平板状部材２枚をＸ字に交差させ組合せることでスタンドを形成し、２枚の平板状部材の支持部2aと図７で示す２枚の平板状部材の辺3aで携帯型電子機器端末を視聴に適した角度で支持する。
【００１７】
図２は第一実施形態で入力に適した角度で携帯型電子機器端末を支持した立体構造図を示すものである。平板状部材に図７で示す携帯型電子機器端末を支える支持部2bを施し、平板状部材２枚をＸ字に交差させ組合せることでスタンドを形成し、２枚の平板状部材の支持部2bと図７で示す２枚の平板状部材の辺3bで携帯型電子機器端末を操作に適した角度で支持する。
【００１８】
図３は第一実施形態を構成する平板状部材の平面図である。  切れこみ4aと4bを上下から交差させ組み合せることにより接着剤等を使用せず容易にスタンドを形成し、不使用時や運搬時は分解することで容易に携帯できる。
【００１９】
図３の5aと5b面はステッカーを貼着し装飾することができる。
【００２０】
上記実施例１で示した平板状部材は、板ではなく外枠のみのフレームのような形状でも形成する事ができ、本考案のスタンドをより軽量にすることもできる。
【実施例２】
【００２１】
図４は第二実施形態でスタンドをＹ字に開いた場合の立体構造図を示すものである。携帯型電子機器端末を支持する構造は実施例1で示したものと同一であるが、スタンド背面のスペースにより図４のようにＹ字、又は図５のようにＸ字と使い分ける事ができる。
【００２２】
図５は第二実施形態でスタンドをＸ字に開いた場合の立体構造図を示すものである。実施例１で示した図１及び図２と同一の構造体を形成し携帯型電子機器端末を支持する。
【００２３】
図６は第二実施形態を構成する平板状部材の平面図である。6を支点に7aと7cを矢印の方向へ開くことにより図４のようにＹ字の構造体を形成し、7b,と7dも矢印の方向へ開くことで図５のようにＸ字の構造体を形成する。
【００２４】
図６の5cと5d面も、実施例１と同様にステッカーを貼着し装飾することができる。
【００２５】
上記実施例２で示した平板状部材も、実施例１と同様に板ではなく外枠のみのフレームのような形状でも形成する事ができ、本考案のスタンドをより軽量にすることもできる。
【００２６】
図７は本考案の構造体を形成する平板状部材の詳細を示す。支持部2aと辺3aは携帯型電子機器端末を視聴に適した角度で支持するが、支持部2aと点8の２点で携帯型電子機器端末を支持する場合、辺3aは直線では無く、3a`のような形状でも良い。
【００２７】
同じく、支持部2bと辺3bは携帯型電子機器端末を操作に適した角度で支持するが、支持部2bと点8の２点で携帯型電子機器端末を支持する場合、辺3bは直線では無く、3b`のような形状でも良い。
【００２８】
また、辺3cも直線では無く、3c`のような形状でも良い。
【００２９】
上述したものは本考案の好ましい一例に過ぎず、本考案の実用新案登録請求の範囲を限定するものではない。本考案の明細書及び図面内容に基づいてなされた均等な変更及び付加は、いずれも本考案の実用新案登録請求の範囲内に含まれ、本考案の趣旨を逸脱しない範囲でさまざまな変更が可能である。
【符号の説明】
【００３０】
1a.1b  ：  携帯型電子機器端末
2a.2b  ：  携帯型電子機器端末の支持部
3a.3b.3c  ：  平板状部材の３辺
3a`.3b`.3C`  ：  平板状部材の３辺の変形案
4a.4b  ：  第一実施形態時の組合せ切れ込み
5a.5b.5c.5d  ：  平板状部材のステッカー貼着面
6  ：  第二実施形態時にＹ字、Ｘ字に開く際の支点
7a.7b.7c.7d  ：  第二実施形態時に開く平板状部材を示す
8  ：  携帯型電子機器端末を支持することができる点を示す
【図１】
0003184201.tif 000003
【図２】
0003184201.tif 000004
【図３】
0003184201.tif 000005
【図４】
0003184201.tif 000006
【図５】
0003184201.tif 000007
【図６】
0003184201.tif 000008
【図７】
0003184201.tif 000009
【手続補正書】
【提出日】平成25年4月10日(2013.4.10)
【手続補正１】
【補正対象書類名】実用新案登録請求の範囲
【補正対象項目名】全文
【補正方法】変更
【補正の内容】
【実用新案登録請求の範囲】
【請求項１】
平板状部材２枚又はフレーム２枚の中央部の切れ込みを上下からX字に交差させ組み合わせること、又は並列した、中央部が可動式の平板状部材２枚又はフレーム２枚をX字又はY時に開くことで構造体を形成し、その構造体が形成する異なった角度に携帯型電子端末を立て掛け、携帯型電子端末の下部を突起状の支持部で支持することで、複数の角度で携帯型電子端末を支持することを特徴とするスタンド。